(57)【要約】【課題】  物品幅に比べて包装体幅が比較的広く、物品が包装体内で遊びそうなものであっても、物品を所望の姿勢に保持することができる包装体を製造する包装機を提供する【解決手段】  上下に重ね合わされた上側フィルム２５，下側フィルム２７間に物品１１を所定間隔毎に供給する物品供給コンベア装置１２と、フィルム間に物品を挟み込んだ状態で搬送する途中で、フィルムの側縁をサイドシールする溶断シール装置３４と、溶断シール装置の下流側で、フィルムを幅方向にシール・カットするトップシール装置４８を備える。フィルムの側縁と物品の間の所定位置に、上下のフィルムを熱溶着し、包装体５０内での物品の姿勢を保持するためのポイントシール部５１を形成するポイントシール装置４０を備える。【選択図】        図２
2020158190.tif 000002
【特許請求の範囲】
【請求項１】
上下に重ね合わされたフィルム間に物品を所定間隔毎に供給する物品供給手段と、
前記フィルム間に前記物品を挟み込んだ状態で搬送する途中で、前記フィルムの側縁をサイドシールするサイドシール手段と、
前記サイドシール手段の下流側で、前記フィルムを幅方向にシール・カットする手段を備え、
前記フィルムの側縁と前記物品の間の所定位置に、上下の前記フィルムを熱溶着し、包装体内での前記物品の姿勢を保持するためのポイントシール部を形成するポイントシール手段を備えることを特徴とする包装機。
【請求項２】
前記ポイントシール部と前記フィルムの側縁との間のフィルム部位を平坦になるように形成することを特徴とする請求項１に記載の包装機。
【請求項３】
前記サイドシール手段の下流側に、前記ポイントシール手段を配置することを特徴とする請求項１または２に記載の包装機。
【請求項４】
前記ポイントシール部は、前記フィルムの搬送方向に沿って線状に形成されることを特徴とする請求項１から３のいずれか１項に記載の包装機。
【請求項５】
前記包装体は、起立した状態で陳列されるものであり、
前記ポイントシール手段は、前記起立した状態における前記包装体の上方側に対応するフィルム部位には、前記ポイントシール部を形成しないように構成することを特徴とする請求項１から４のいずれか１項に記載の包装機。
【請求項６】
前記物品供給手段は、前記物品を前記フィルムに対してフィルム幅方向の中心からずらした位置に供給するようにし、
前記ポイントシール手段は、前記ずらした側と反対側に前記ポイントシール部を形成するものであることを特徴とする請求項１から５のいずれか１項に記載の包装機。
【請求項７】
前記ポイントシール手段の上流側に、前記ポイントシール部を形成するフィルム部位の付近を上下から抑えるフィルム抑え手段を備えることを特徴とする請求項１から６のいずれか１項に記載の包装機。
【請求項８】
前記フィルムに対する孔開け位置を前記フィルムの搬送方向に対して直角方向に移動可能に構成された孔開け装置を備え、
前記ポイントシール部の有無を切り替え可能に構成することを特徴とする請求項１から７のいずれか１項に記載の包装機。
【発明の詳細な説明】
【技術分野】
【０００１】
本発明は、包装機に関するもので、例えば物品を上下からフィルムで挟み込むとともに、フィルムの搬送方向に沿って側縁をサイドシールする機能を備えた包装機に関する。
【背景技術】
【０００２】
図１は、例えばボールペンなどの細棒状の物品を収納する包装体の一例を示している。この包装体１は、物品２を透明なフィルムからなる細長な袋体３内に収納した形態をとる。この包装体１は、例えば四方シール包装機で製造され、左右一対の長辺は、溶断シールされ、上下の短辺は、所定のシール幅でシールされたトップシール部４，５が形成される。そして、図示の例では、上側のトップシール部４の中央には貫通孔４ａを備える。貫通孔４ａは、例えば店舗の陳列棚において、吊り下げて陳列・配置する際に用いる。この種の包装体１を製造する四方シール包装機は、例えば特許文献１に開示されている。
【先行技術文献】
【特許文献】
【０００３】
【特許文献１】特開２０００−２７２６０２
【発明の概要】
【発明が解決しようとする課題】
【０００４】
ところで、包装体１の袋体３の表面には、例えば、バーコードを設けたり、商品名その他の広告・デザインを印刷したりすることがある。ＰＯＳシステムでバーコードを読みとるためには、バーコードを所定の大きさ以上にする必要があり、また、広告効果を高めるためには、広告の内容を消費者に認識させる必要があるので、印刷面積を広くしたいという要求がある。
【０００５】
そのため、例えば図１に示すように、ボールペンのような細棒状の物品２を１本のみ収納する包装体１の場合、包装体１の横幅（短辺の長さ）は、物品２の横幅に比べて広くなってしまう。よって、例えば、搬送中や店舗での陳列時等において、物品２が袋体３内では遊びが生じ、物品２が斜めの姿勢となるおそれがある。そのように斜めになると、見た目が悪いばかりか、袋体３の表面に皺が発生したり、予期しない位置に膨らみを生じたりしてしまい、袋体３に印刷した内容が読みにくくなったり、バーコードが読み取りにくくなったりするおそれがある。
【０００６】
上述した課題はそれぞれ独立したものとして記載しているものであり、本発明は、必ずしも記載した課題の全てを解決できる必要はなく、少なくとも一つの課題が解決できれば良い。またこの課題を解決するための構成についても単独で分割出願・補正等により権利取得する意思を有する。
【課題を解決するための手段】
【０００７】
上述した課題を解決するために、本発明の包装機は、（１）上下に重ね合わされたフィルム間に物品を所定間隔毎に供給する物品供給手段と、前記フィルム間に前記物品を挟み込んだ状態で搬送する途中で、前記フィルムの側縁をサイドシールするサイドシール手段と、前記サイドシール手段の下流側で、前記フィルムを幅方向にシール・カットする手段を備え、前記フィルムの側縁と前記物品の間の所定位置に、上下の前記フィルムを熱溶着し、包装体内での前記物品の姿勢を保持するためのポイントシール部を形成するポイントシール手段を備えるようにした。
【０００８】
このようにすると、包装機で製造された包装体は、サイドシールされるフィルムの側縁と物品との間にポイントシール部を備える。よって、例えば包装体の横幅が物品の幅に比べて幅広にし、物品と包装体の側縁との間に比較的広い空間が形成されるような構成にしても、ポイントシール部により包装体内での物品の移動範囲が抑制される。これにより、物品の姿勢が保持され、例えば、包装体を起立させたとしても、それと共に物品も起立し、斜めに倒れたりすることがない。包装体を起立させるのは、例えば陳列棚に吊り下げたり、上部開放した陳列ケース内に挿入したりすることで行う。
【０００９】
上下に重ね合わされたフィルムは、例えば実施形態のように２枚の上側フィルムと下側フィルムであってもよいし、変形例のように１枚のフィルムを折り曲げて上下に重ね合わしたものでも良い。サイドシール手段は、実施形態では溶断シール装置３４等により構成されるが必ずしも溶断に限るものではない。シール・カットする手段は、実施形態ではトップシール装置４８に対応する。実施形態では、シールとカットを一つの装置で一度に行うようにしたが、シール装置とカット装置を別々に構成したものでも良い。つまり、シール・カットする手段は、例えば一つの装置で構成しても良いし複数の装置で構成しても良い。サイドシール手段とポイントシール手段は、実施形態では別の装置として構成したが、一体にしてサイドシールとポイントシールを一緒に行う一つの装置で構成しても良い。但し、実施形態のように別々に構成した方が、より好ましい。
【００１０】
（２）前記ポイントシール部と前記フィルムの側縁との間のフィルム部位を平坦になるように形成するように構成すると良い。包装体の側縁から内側に入った所定位置にポイントシール部を設けているので、ポイントシール部を設けた側では、物体はそのポイントシール部を超えて側縁側に移動することが抑止される。よって、包装体の製造時において、ポイントシール部と前記フィルムの側縁との間のフィルム部位を平坦に形成すると、包装体の製造後に当該フィルム部位に物品が入り込むことがなく平坦な状態が維持される。その結果、例えばその平坦な部位にデザインや広告を印刷などしたり、バーコードなどを設けたりした場合に、フィルム部位が平坦なままとなるので視認性が向上する。
【００１１】
（３）前記サイドシール手段の下流側に、前記ポイントシール手段を配置するとよい。このようにすると、サイドシールされた包装体の側縁とポイントシール部との間のフィルム部位が、シール時に歪んだりすることなく平坦な状態を形成しやすくなる。
【００１２】
（４）前記ポイントシール部は、前記フィルムの搬送方向に沿って線状に形成されるようにするとよい。このようにすると、物品を安定して所望の姿勢に保持しやすくなる。線状のポイントシール部は、比較的長く連続した１本を形成しても良いし、短いものを複数本形成しても良い。
【００１３】
（５）前記包装体は、起立した状態で陳列されるものであり、前記ポイントシール手段は、前記起立した状態における前記包装体の上方側に対応するフィルム部位には、前記ポイントシール部を形成しないように構成するとよい。ポイントシール部は密封を目的としていないので全長にわたり形成する必要がなく、下方側にポイントシール部を設けることで効率よく物品の姿勢を保持することができると共に、上方側にポイントシール部を設けないことで、比較的ユーザの目が届く包装体の上方側は通常の包装体と同じ形態にすることができる。また、物品がボールペンなどの筆記具の場合、クリップなどを有する上方側の方が幅広なものもあるので、係る場合にも下方側にのみポイントシールを設けると効率よく確実に所望の姿勢で保持できるので良い。
【００１４】
（６）前記物品供給手段は、前記物品を前記フィルムに対してフィルム幅方向の中心からずらした位置に供給するようにし、前記ポイントシール手段は、前記ずらした側と反対側に前記ポイントシール部を形成するものとするとよい。このようにすると、包装体内で物品の一方の側縁に寄せて配置し、他方の側縁側に比較的広い領域を確保できるので良い。
【００１５】
（７）前記ポイントシール手段の上流側に、前記ポイントシール部を形成するフィルム部位の付近を上下から抑えるフィルム抑え手段を備えるとよい。このようにすると、ポイントシールされるフィルム部位の付近が、その上流側で上下から抑えられるので、２枚のフィルムが密着し、その状態でシールされるのでポイントシール時にフィルムに皺がより確実に入らないようにすることができる。
【００１６】
ポイントシール手段の上流側は、例えばポイントシール手段が備えるフィルムに接触して加熱・加圧するポイントシーラの上流側であり、直前の上流側とするとより好ましい。ポイントシール部を形成するフィルム部位の付近は、ポイントシールするフィルム部位を含む上流側、すなわち、フィルム抑え手段で抑えるフィルム部位が、その下流側でポイントシールされるようにするとより好ましいが、必ずしもようにする必要は無い。例えば、下流側でポイントシールする部位を含まないフィルム部位を抑えるようにしていても、ポイントシールする部位の近くを抑えることで、皺の発生を抑制できれば良い。皺の発生を抑制できるようなフィルム部位を抑えると良い。フィルム抑え手段は、実施形態では、プレスローラ４７に対応する。
【００１７】
また、ポイントシール手段は、フィルムに接触して加熱・加圧するポイントシーラを備え、そのポイントシーラとともにフィルムの搬送方向に対しての直角方向に移動するフィルム抑え手段を備えるとよい。このようにすると、ポイントシーラが当該直角方向に移動し、ポイントシール部の形成位置を変更するものにおいても、適切なフィルム部位を抑え、皺の発生を抑制できるので良い。
【００１８】
（８）前記フィルムに対する孔開け位置を前記フィルムの搬送方向に対して直角方向に移動可能に構成された孔開け装置を備え、前記ポイントシール部の有無を切り替え可能に構成するとよい。このようにすると、孔開け装置により形成する孔の位置を、ポイントシールを行う場合と行わない場合の何れにおいても、例えば包装体内の物品の上方にすることがでる。よって、例えば、店舗等の陳列棚などにおいて、その孔を用いて包装体を吊り下げた際に、物品・包装体がまっすぐに垂下した状態で陳列することができる。例えば、ポイントシールを行い、ポイントシール部と一方のサイドシールされた部位との間に物品を収容する場合、物品が収容される側の一方のサイドシール側に孔開け装置をずらし、吊り下げ用の孔を形成する。一方、ポイントシールを行わない場合は、包装体の幅方向の中央位置に吊り下げ用の吊り下げ用の孔を形成する。フィルムに対する孔開け位置を移動するための構成は、孔開け装置の全体をフィルムの搬送方向に対して直角方向に移動可能に設置したり、孔開け装置の一部の構成、例えばフィルムに接触して孔開けする部位等が当該方向に移動可能に形成したりすると良い。
【発明の効果】
【００１９】
本発明によれば、物品幅に比べて包装体幅が比較的広く、物品が包装体内で遊びそうなものであっても、物品を所望の姿勢に保持することができ、包装体内で物品がばたつくのを防止できる。
【図面の簡単な説明】
【００２０】
【図１】従来例を示す図である。
【図２】本発明に係る包装機の一例である四方シール包装機の好適な実施形態を示す正面図である。
【図３】本発明に係る包装機の一例である四方シール包装機の好適な実施形態を示す平面図である。
【図４】溶断シール装置を示す図である。
【図５】ポイントシール装置を示す図である。
【図６】製造される包装体の一例を示す図である。
【発明を実施するための形態】
【００２１】
以下、本発明の好適な実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００２２】
本実施形態の四方シール包装機１０は、ボールペンなどの細棒状の物品１１を所定間隔毎に搬送する物品供給コンベア装置１２と、その物品供給コンベア装置１２の搬出端側に配置された包装機本体１３と、物品供給コンベア装置１２の搬出端側に配設され、包装機本体１３に２枚の帯状フィルムを連続的に供給可能とするフィルム供給装置１４とから構成されている。
【００２３】
物品供給コンベア装置１２は、物品１１を１本ずつ前後に所定間隔をおいて搬送するものである。具体的には前後一対のスプロケット１５間に渡設されたエンドレスチェーン１６の所定間隔毎に配設された押送フィンガー１７にて物品１１をその後方より押送し、搬送するようになっている。
【００２４】
フィルム供給装置１４は、包装機本体１３に対し２枚の帯状フィルムを上下に重ねた状態で供給するもので、本実施形態では、一枚の帯状のフィルムを途中で切断して２枚の帯状のフィルムを形成し、それを供給するようにしている。すなわち、フィルム供給装置１４は、物品供給コンベア装置１２の搬出端上方に配置された原反フィルム２１と、その原反フィルム２１から比較的幅広な帯状フィルム２２を連続的に引き出す複数のローラ２３と、帯状フィルム２２の引き出し途中に配された切断刃２４とを有している。そして、切断刃２４にて帯状フィルム２２がその中央部から２つに切断され、切断された一方はそのまま包装機本体１３上に移動していき上側フィルム２５となる。また、他方は一度下方に移動し、その下方に配置された略三角形状のフィルム方向変換板部材２６を有する方向変換装置を介して所定方向に進路が変換され、上側フィルム２５と重合するようにして包装機本体１３に沿って移動するようになり、下側フィルム２７となる。
【００２５】
そして上述した物品供給コンベア装置１２にて搬送されてきた物品１１が上下に重ね合わされた上側フィルム２５、下側フィルム２７間に所定間隔毎に挿入配置される。エンドレスチェーン１６により前進移動する押送フィンガー１７は、上側フィルム２５，下側フィルム２７の幅方向の中央から側縁方向（本形態では、搬送方向右側・包装機の手前側）に所定距離ずれた位置を移動する。これにより、押送フィンガー１７により押送される物品１１は、上側フィルム２５，下側フィルム２７に対して中央から側縁方向に偏心した位置の延長線上を移動し、そのまま偏心した位置で上側フィルム２５、下側フィルム２７間に供給される。
【００２６】
包装機本体１３は、上側フィルム２５，下側フィルム２７で物品１１を上下から挟んだ状態のまま搬送し、その搬送途中で上側フィルム２５，下側フィルム２７の所定位置をシール・カットすることにより包装体を製造するもので、具体的には以下のように構成される。
【００２７】
包装機本体１３の搬入側端近傍位置には、上側フィルム２５，下側フィルム２７の左右の両側端部をそれぞれ上下から挟持する上下一対の第一ピンチローラ３０を備える。そして図示の例では、左右に対向する第一ピンチローラ３０は平行に配置されているが、例えば進行方向前方に向けて若干拡開するように配置するとよい。このようにすると、上側フィルム２５，下側フィルム２７がより確実にピンと張った状態で進行することができる。
【００２８】
左右の第一ピンチローラ３０の進行方向前方には、それぞれ上下一対のバーシーラ３２を備える。上下一対のバーシーラ３２は、上側フィルム２５，下側フィルム２７の左右両側端部を所定幅で加熱する。
【００２９】
左右のバーシーラ３２の進行方向前方には、それぞれ上下一対の溶断シーラ３３を備えた溶断シール装置３４を配置する。溶断シール装置３４は、円盤状の溶断シーラ３３と、その溶断シーラ３３を回転駆動する駆動モータ（図示省略）等を備える。駆動モータは、例えば速度制御可能なサーボモータ等を用いると良い。各溶断シーラ３３の回転軸は、駆動モータの出力軸に直結或いは所定の動力伝達機構を介して連携される。駆動モータが回転すると、各溶断シーラ３３が同期して回転する。図４等に示すように、溶断シーラ３３は、先端側の径が大きく、その側面３３ａは先端側に周方向に延びる無端状の凸部３３ｂが形成される。この凸部３３ｂが、上側フィルム２５，下側フィルム２７のバーシーラ３２で加熱したフィルム部位の内側の境界部分に接触し、その接触したフィルム部位を加熱・加圧して溶断する。この溶断により、上側フィルム２５，下側フィルム２７の進行方向の左右両側がサイドシールされる。
【００３０】
この溶断部位は、上側フィルム２５，下側フィルム２７の側縁から所定距離内側に入った位置であり、その側縁と溶断部位との間に位置するフィルム部位は、上側フィルム２５，下側フィルム２７から分離されて細長な帯状のスクラップ３５が形成される。
【００３１】
そして、左右の溶断シーラ３３の進行方向前方には、溶断シーラ３３にて切り取られたスクラップ３５を上下から挟み込み搬送力を与える第二ピンチローラ３８を備える。上下一対の第二ピンチローラ３８は、スクラップ３５を上側フィルム２５，下側フィルム２７の搬送方向と平行な方向に付勢する。これにより、上側フィルム２５，下側フィルム２７から切り離されたスクラップ３５は、上側フィルム２５，下側フィルム２７に沿って平行に移動する。
【００３２】
第二ピンチローラ３８の配置位置より下流側には、上側フィルム２５，下側フィルム２７の所定位置に対してポイントシールを行うポイントシール装置４０を配置する。ポイントシールは、サイドシールのように搬送方向に沿って連続してシールするのではなく、非連続で部分的にシールするものである。
【００３３】
本実施形態におけるポイントシール装置４０は、溶断シール装置３４と略同様の構成を採り、ポイントシール装置４０は、円盤状のポイントシーラ４１と、そのポイントシーラ４１を回転駆動する駆動モータ（図示省略）等を備える。駆動モータは、例えば速度制御可能なサーボモータ等を用いると良い。各ポイントシーラ４１の回転軸は、駆動モータの出力軸に直結或いは所定の動力伝達機構を介して連携される。駆動モータが回転すると、各ポイントシーラ４１が同期して回転する。ポイントシーラ４１は、その側面４１ａの先端側に凸部４１ｂを有する。凸部４１ｂは、円周方向に非連続で部分的に形成される。この凸部４１ｂが、上側フィルム２５，下側フィルム２７の所定位置を上下から挟み込み、加熱・加圧して熱シールし、ポイントシール部４４を形成する。
【００３４】
ポイントシーラ４１は、その凸部４１ｂの位置を、上側フィルム２５，下側フィルム２７の溶断されたサイドシール部から中央側に所定距離寄せた位置に配置する。この所定距離寄せた位置は、上側フィルム２５，下側フィルム２７間に挿入された物品１１の付近にすると良い。また、凸部４１ｂは、周方向に一定の長さを有し、ポイントシール部４４は、所定長さの線状に形成すると良い。本実施形態では、図６（ａ）に示すように断続的に複数本の線状のポイントシール部４４を形成しているが、例えば図６（ｂ）に示すように連続した一本としても良い。
【００３５】
本形態では、上側フィルム２５，下側フィルム２７間に偏心して挿入した物品１１の位置に合わせて、片側（進行方向左側）にポイントシーラ４１を配置し、上側フィルム２５，下側フィルム２７の片側の一方にポイントシール部４４を形成するようにした。さらに包装体５０の上方側には、ポイントシール部４４を形成しないようにしている。
【００３６】
ポイントシーラ４１を駆動する駆動モータは、溶断シール装置３４の駆動モータとは別に設けており、ポイントシーラ４１と溶断シーラ３３を独立して速度制御可能としている。これにより、例えば、上側フィルム２５，下側フィルム２７の搬送速度が一定の場合、溶断シーラ３３は、周速が上側フィルム２５，下側フィルム２７に応じた速度で一定になるように制御し、ポイントシーラ４１は、凸部４１ｂが上側フィルム２５，下側フィルム２７に接触している区間と、非接触の区間で速度を変えるなどし、溶断シールとポイントシールを適切に行うようにすることができる。また、ポイントシール部４４は、サイドシール部や後述するトップシール部５１のように包装体を密封するものではないので、シール強度がそれらサイドシール部やトップシール部５１に比べて弱くても良い。そこで、例えば凸部４１ｂが上側フィルム２５，下側フィルム２７に接触している間の周速と、フィルムの搬送速度を異ならせても良い。
【００３７】
ポイントシール装置４０の下流側には、スクラップ３５を排除するためのスクラップ巻取装置を配置する。このスクラップ巻取装置は、例えば、搬送方向の左右両側にそれぞれスクラップ３５を所定の経路で搬送する複数のガイドローラ４５（図では、１箇所のみ描画）や、図外の巻取ローラ等を備える。ガイドローラ４５により、平面視で斜め外側前方に引っ張った後、方向変換し巻取りローラに至るように構成する。
【００３８】
さらにその下流側には上側フィルム２５，下側フィルム２７をその上下方向から挟持するように搬送ベルト４６が配設されている。この搬送ベルト４６が回転駆動することにより、上側フィルム２５，下側フィルム２７並びに両フィルム間に挿入された物品１１に搬送力を与えられ、前進移動する。すなわち、第二ピンチローラ３８は、スクラップ３５に対して搬送力を与えるもので、溶断シール装置３４の下流側では、包装体を構成する上側フィルム２５，下側フィルム２７のフィルム部分に対して、搬送ベルト４６にて挟み込んだ状態で物品１１ごと搬送力を与える。
【００３９】
搬送ベルト４６の進行方向前方には、上側フィルム２５，下側フィルム２７の物品１１間毎を横方向にシール切断するためのトップシール装置４８、搬出コンベア装置４９が順に配置される。これにより、トップシール装置４８にて切断されて形成された包装体５０が搬出コンベア装置４９にて搬出される。
【００４０】
さらに具体的な図示は省略するが、四方シール包装機１０は、トップシール装置４８でシールされて形成されるトップシール部５１の所定位置に、吊り下げ用の貫通孔５２を形成する孔開け装置を備える。この孔開け装置は、トップシール装置４８内に組み込んでも良いし、トップシール装置４８とは別の装置として実装しても良い。
【００４１】
上述したように、本実施形態では、上側フィルム２５，下側フィルム２７に対して搬送力を直接与えるのは、バーシーラ３２の上流側の第一ピンチローラ３０と、搬送ベルト４６である。そして、通常の溶断シールの場合、溶断シール装置の直後にガイドローラ等を配置し、溶断により切断されたスクラップを、切り離された直後に平面視で４５度方向に外側に引張ながら巻取りを行う。このようにすると、スクラップは、上側フィルム２５，下側フィルム２７から切り離されているとは言え、その上流側で繋がっていることもあり、溶断直後にスクラップを外側に向けて引っ張ると残った上側フィルム２５，下側フィルム２７の部分に外に向けた付勢力が加わる。これに対し、本実施形態のようにポイントシール装置４０の下流側まで切り取られたスクラップ３５を搬送方向と平行に引っ張ることで、包装体を構成する上側フィルム２５，下側フィルム２７のフィルム部位に外に向けた付勢力を掛けず、当該フィルム部位を平坦な状態を維持し、綺麗にポイントシールすることができる。
【００４２】
さらに本実施形態では、フィルムの片側にポイントシール部４４を形成するため、ポイントシーラ４１が接触する位置も幅方向で片側にずれた位置となる。そして、ポイントシーラ４１の凸部４１ｂがフィルムに接触してる間は、その接触部位に搬送力が加わる。このように片側での搬送力の付与は、フィルムに対する搬送力の不均一さとなるが、ポイントシール装置４０の付近で、第二ピンチローラ３８にて左右両側のスクラップ３５をフィルムの搬送方向と平行な方向に搬送力を与えることで、上述した不均一さの影響を抑制することができる。
【００４３】
本形態では、上側フィルム２５，下側フィルム２７間に物品１１を供給する際に、フィルムの幅方向で片側に寄せた所望の位置に、まっすぐに挿入する。よって、物品１１を上側フィルム２５，下側フィルム２７間に供給した際には、細棒状の物品１１は、フィルムの搬送方向と平行になる。上側フィルム２５，下側フィルム２７は、その左右両側をそれぞれ第一ピンチローラ３０で挟まれているので、フィルムはピンと張った状態となり、物品１１も上下から抑えられた状態になる。さらに、包装機本体１３の下流側では、搬送ベルト４６にて上下から上側フィルム２５，下側フィルム２７が物品１１と共に挟まれた状態となる。よって、物品１１は、包装機本体１３を移動する間は上側フィルム２５，下側フィルム２７間で位置ずれすることはない。よって、ポイントシール装置４０で物品１１を噛み込むことなく、物品１１の傍らにポイントシール部４４を形成することができる。
【００４４】
本実施形態によれば、包装体５０を物品１１の幅に比べて幅広にしても、物品１１はポイントシール部４４と一方のサイドシール部との間で挟まれて保持されているので、包装体５０内で遊ぶことはない。よって、例えば包装体５０を、貫通孔５２を用いて吊り下げて陳列しても物品１１は、包装体５０内で斜めに倒れることもなく包装体５０と平行で立ったままの姿勢を維持する。
【００４５】
さらに、ポイントシール部４４とサイドシール部の間はピンと伸びる平坦な部分となるので、バーコードや広告などを印刷できる。よって、ポイントシールとサイドシールの間を広くして大きなバーコードを印刷可能とし、読み取りやすくなるし、読みやすい広告等を印刷でき広告効果が向上する。
【００４６】
本実施形態では、ポイントシール部４４を片側に設けたが、両側に設けても良い。但し、本実施形態のように片側にするとデザイン・広告・バーコード等を設けるスペースを広く確保できるので良い。
【００４７】
上述した実施形態では、ポイントシール装置は、回転式としたが、本発明これに限ることはなく、各種のシール装置を用いることができる。但し本実施形態のように、サイドシール装置とできるだけ同じ構成のものとするとよい。そのようにすると、例えば、前後の位置を変えることで、ポイントシールを先に行うなど、簡単に構成変更ができるのでよい。
【００４８】
サイドシールとポイントシールを同時に行っても良いが、同時に行うと、サイドシール部とポイントシール部の間の領域で皺が寄ったりするおそれがある。そこで本実施形態のようにサイドシール（溶断シール）とポイントシールは別々に行うようにすると良く、特に先にサイドシールをした方が良い。
【００４９】
ポイントシール装置４０は、ポイントシーラ４１の位置をフィルムの幅方向に変更調整可能な構成にしている。これにより、幅の異なる物品に対しても、適切な位置にポイントシールを形成することができる。
【００５０】
さらに本実施形態のポイントシール装置４０は、ポイントシーラ４１の上流側にフィルムを上下から挟み込む一対のプレスローラ４７を備える。そして一対のプレスローラ４７が接触するフィルム部位は、下流側のポイントシーラ４１が接触しポイントシール部を形成する部位を含む領域とすると良い。
【００５１】
このようにすると、ポイントシールする部位の上流側で、上下一対のプレスローラ４７にて上下の２枚のフィルムを密着させ、その状態でポイントシーラ４１がフィルムに接触してシールするので、より確実にポイントシール時にフィルムに皺が入らないようにできる。本実施形態では、プレスローラ４７が接触するフィルム部位は、ポイントシールする部位の延長線上の上流側にしたが、当該延長線を含まず、サイドシール部側にずれていたり、内側にずれていたりしても、皺が入らないようになっていれば良い。但し、本実施形態のように延長線上に位置するようにポイントシール部位を含むようにするとより好ましい。
【００５２】
さらに、一対のプレスローラ４７にて、サイドシール部よりも内側が抑えられることから、プレスローラ４７と、プレスローラ４７を配置しない側のサイドシール部との間でフィルムはよりピンと張った状態になり、物品１１を上下のフィルムで抑えることができる。その結果、物品１１がフィルム内で横方向に移動するのを抑止し、ポイントシーラ４１への噛み込みも可及的に抑止できる。
【００５３】
さらに、本実施形態では、ポイントシーラ４１とともにフィルムの幅方向すなわちフィルムの搬送方向に対して直交する方向に移動するように構成している。そこで、一対のプレスローラ４７は、ポイントシーラ４１とともにフィルムの幅方向すなわちフィルムの搬送方向に対して直交する方向に移動するように構成するとよい。
【００５４】
上述した実施形態では、フィルム抑え手段として、一対のプレスローラ４７を用いたが、ローラタイプに限ることはなく、例えば板バネその他の弾性部材等を用いても良い。但し、ローラタイプとすると、フィルムに対する接触抵抗も少なく、フィルムに与えるストレスを小さくできるので好ましい。
【００５５】
孔開け装置は、孔開け位置をフィルムの搬送方向に対して直角方向に移動可能に構成するとよい。そして、ポイントシール装置４０によるポイントシール部の形成を行わない構成も採りうるようにすると良い。このようにすると、例えばポイントシールを行わない場合は、包装体５０の幅方向の中央位置に吊り下げ用の貫通孔５２を形成し、ポイントシールを行い、ポイントシール部４４と一方のサイドシール部との間に物品１１を収容する場合は、物品１１が収容される側の一方のサイドシール部の方向に位置をずらして、吊り下げ用の貫通孔５２を形成するように調整すると良い。これにより、重心が包装体幅方向の中心線からずれている包装体であっても、傾くことなく真っ直ぐに吊り下げて陳列できる。
【００５６】
上述した実施形態では、孔開け装置で形成する貫通孔５２は、円形にくりぬいた形状としたが、その形状は任意であり、例えば、馬蹄パンチのように、略Ｃ型のように一部がフィルムに繋がった状態で孔開けするものでも良い。
【００５７】
また、上述した実施形態では、物品供給コンベア装置１２は、フィンガーコンベアを用いた例を説明したが、オーバーヘッドコンベアその他各種のコンベアを用いてもよい。
【００５８】
また、ポイントシーラ４１は、等速で回転するようにしてもよいが、変速制御するように構成すると良い。変速制御すると、ポイントシール部の長さを変更できる。または、ポイントシール時において、ポイントシーラ４１の隣接する突出部間でポイントシーラ４１を一時停止または減速してもよい。これにより、ポイントシール部の長さは変えずに、線状のポイントシール部の間隔を変更することができる。
【００５９】
上述した実施形態では、四方シール包装機に適用した例を説明したが、本発明はこれに限ることはなく、例えば１枚の帯状のフィルムを幅方向の中央から折り返し、折り返したフィルム部位間に物品を収納する横三方シール包装機に適用しても良い。
【００６０】
以上、本発明の様々な側面を実施形態並びに変形例を用いて説明してきたが、これらの実施形態や説明は、本発明の範囲を制限する目的でなされたものではなく、本発明の理解に資するために提供されたものであることを付言しておく。本発明の範囲は、明細書に明示的に説明された構成や製法に限定されるものではなく、本明細書に開示される本発明の様々な側面の組み合わせをも、その範囲に含むものである。本発明のうち、特許を受けようとする構成を、添付の特許請求の範囲に特定したが、現在の処は特許請求の範囲に特定されていない構成であっても、本明細書に開示される構成を、将来的に特許請求する可能性があることを、念のために申し述べる。
【符号の説明】
【００６１】
１０    ：四方シール包装機
１１    ：物品
１２    ：物品供給コンベア装置（物品供給手段）
１３    ：包装機本体
１４    ：フィルム供給装置
２５    ：上側フィルム
２７    ：下側フィルム
３０    ：第一ピンチローラ
３２    ：バーシーラ
３３    ：溶断シーラ
３４    ：溶断シール装置（サイドシール装置）
３５    ：スクラップ
３８    ：第二ピンチローラ
４０    ：ポイントシール装置
４１    ：ポイントシーラ
４４    ：ポイントシール部
４７    ：プレスローラ（フィルム抑え手段）
４８    ：トップシール装置
５０    ：包装体
【図１】
2020158190.tif 000003
【図２】
2020158190.tif 000004
【図３】
2020158190.tif 000005
【図４】
2020158190.tif 000006
【図５】
2020158190.tif 000007
【図６】
2020158190.tif 000008